(57)【要約】【課題】収束したり折り畳んだりした後のサイズがもっと小径で、簡単に持ち歩ける傘を構成するための骨組みを提供する。【解決手段】上下二端を有する直管状の中棒１０と、中棒１０の上端に取り付けられている上ろくろ２０と、中棒１０に沿って上下方向に摺動可能に取り付けられている下ろくろ３０と、それぞれの上端が上ろくろ２０の周りに沿って所定距離をもって枢支されている複数の親骨４１と、それぞれ上下二端を有し、その上端が複数の親骨４１の１つに枢着され、下端が下ろくろ３０に枢着されている複数の受骨５０とを備えている傘の骨組みにおいて、上ろくろ２０は、上下二端を有する円柱形の本体２２と、本体２２の上端近傍から所定間隔をもって並列するように、径方向へ対称的に一対突出して形成してなるの複数の切欠付き星形部２１，２３とからなり、且つ、本体２２の下部は中棒１０内に嵌挿固定されている。【選択図】図１
2004057475.tif 000002
【特許請求の範囲】
【請求項１】
中棒の上端に、その周縁に形成してある複数の切欠によって複数の親骨の上端部をそれぞれ配置して枢支するための上ろくろが取り付けてある傘の骨組みにおいて、
前記上ろくろは、上下二端を有する柱体であって、該柱体の上端近傍の周りに前記複数の切欠が形成してあり、且つ、その上端近傍が前記中棒の上端開口から外方に露出するように、前記中棒内に嵌挿固定されていることを特徴とする傘の骨組み。
【請求項２】
中棒の上端に、その周縁に形成してある複数の切欠によって複数の親骨の上端部をそれぞれ配置して枢支するための上ろくろが取り付けてある傘の骨組みにおいて、
前記上ろくろは、上下二端を有する円柱形の本体と、前記本体の上端近傍から所定間隔をもって並列するように、径方向へ対称的に一対突出して形成してなる複数の切欠付き星形部とからなり、且つ、前記本体の下部は前記中棒内に嵌挿固定されていることを特徴とする傘の骨組み。
【請求項３】
上下二端を有する直管状の中棒と、
前記中棒の上端に取り付けられている上ろくろと、
前記中棒に沿って上下方向に摺動可能に取り付けられている下ろくろと、
それぞれの上端が前記上ろくろの周りに沿って所定距離をもって枢支されている複数の親骨と、
それぞれ上下二端を有し、その上端が前記複数の親骨の１つに枢着され、下端が前記下ろくろに枢着されている複数の受骨と
を備えている傘の骨組みにおいて、
前記上ろくろは、上下二端を有する円柱形の本体と、前記本体の上端近傍から所定間隔をもって並列するように、径方向へ対称的に一対突出して形成してなる複数の切欠付き星形部とからなり、且つ、前記本体の下部は前記中棒内に嵌挿固定されていることを特徴とする傘の骨組み。
【請求項４】
前記上ろくろの一対の星形部のうち、下側の星形部から弾き片が下向きに延びるように設けてあり、また、前記下ろくろに、該下ろくろが前記中棒に沿って摺動することによって前記弾き片に引っ掛けられる係止孔が設けられていることを特徴とする請求項２または３に記載の傘の骨組み。
【請求項５】
前記本体の上端面に雌ねじ付き開口が形成してあり、該開口に雄ねじ付きプラグを有する石突が、前記雌ねじと雄ねじとのねじ締めによって取り付けられていることを特徴とする請求項２乃至請求項４のいずれか１項に記載の傘の骨組み。
【請求項６】
前記上ろくろは、前記中棒と該上ろくろの下部とをピンによって貫通させることにより、前記中棒の上端に取り付けられていることを特徴とする請求項２乃至請求項５のいずれか１項に記載の傘の骨組み。
【発明の詳細な説明】
【０００１】
【発明の属する技術分野】
本発明は、傘の骨組みに関し、特に、収束された後の外径が縮んで小さく手持ちしやすい傘の骨組みに関する。
【０００２】
【従来の技術】
従来の傘の骨組みは、図４に示すように、中棒１の上端部に、その周縁に形成してある複数の切欠２０１に複数の親骨４０１の上端部をそれぞれ配置して枢支するための上ろくろ２０２が外嵌固定されている。
【０００３】
【発明が解決しようとする課題】
しかしながら、傘を収束したり折り畳んだりすると、前記中棒１を囲んでいる複数の親骨４０１は、中棒１の上端部に外嵌固定されている上ろくろ２０２の肉厚で、中棒１にぴったりと当接して収束させることが出来ない。そのため、収束したり折り畳んだりした傘の外径が大きくなり、手で持る場合にも鞄などに入れる場合にも不便だと感じられる。
【０００４】
そこで、本発明では、収束したり折り畳んだりした後のサイズがもっと小径で、簡単に持ち歩ける傘を構成するための骨組みを提供することを課題とするものである。
【０００５】
【課題を解決するための手段】
前記課題を解決するため、本考案の傘の骨組みは、中棒の上端に、その周縁に形成してある複数の切欠によって複数の親骨の上端部をそれぞれ配置して枢支するための上ろくろが取り付けてある傘の骨組みにおいて、前記上ろくろは、上下二端を有する柱体であって、該柱体の上端近傍の周りに前記複数の切欠が形成してあり、且つ、その上端近傍が前記中棒の上端開口から外方に露出するように、前記中棒内に嵌挿固定される構成としたものである。
【０００６】
具体的には、中棒の上端に、その周縁に形成してある複数の切欠によって複数の親骨の上端部をそれぞれ配置して枢支するための上ろくろが取り付けてある傘の骨組みにおいて、前記上ろくろは、上下二端を有する円柱形の本体と、前記本体の上端近傍から所定間隔をもって並列するように、径方向へ対称的に一対突出して形成してなる複数の切欠付き星形部とからなり、且つ、前記本体の下部は前記中棒内に嵌挿固定される構成としたものである。
【０００７】
より具体的には、上下二端を有する直管状の中棒と、前記中棒の上端に取り付けられている上ろくろと、前記中棒に沿って上下方向に摺動可能に取り付けられている下ろくろと、それぞれの上端が前記上ろくろの周りに沿って所定距離をもって枢支されている複数の親骨と、それぞれ上下二端を有し、その上端が前記複数の親骨の１つに枢着され、下端が前記下ろくろに枢着されている複数の受骨とを備えている傘の骨組みにおいて、前記上ろくろは、上下二端を有する円柱形の本体と、前記本体の上端近傍から所定間隔をもって並列するように、径方向へ対称的に一対突出して形成してなる複数の切欠付き星形部とからなり、且つ、前記本体の下部は前記中棒内に嵌挿固定される構成としたものである。
【０００８】
この傘の骨組みでは、前記上ろくろの一対の星形部のうち、下側の星形部から弾き片が下向きに延びるように設けてあり、また、前記下ろくろに、該下ろくろが前記中棒に沿って摺動することによって前記弾き片に引っ掛けられる係止孔が設けられている構成とすることが好ましい。
【０００９】
また、前記本体の上端面に雌ねじ付き開口が形成してあり、該開口に雄ねじ付きプラグを有する石突が、前記雌ねじと雄ねじとのねじ締めによって取り付けられている構成とすることが好ましい。
【００１０】
さらに、前記上ろくろは、前記中棒と該上ろくろの下部とをピンによって貫通させることにより、前記中棒の上端に取り付けられている構成とすることが好ましい。
【００１１】
前記構成による傘の骨組みにおける上ろくろは、前記複数の切欠のある前記上端近傍が前記中棒の上端開口外に露出するように、前記中棒内に嵌挿固定される。そのため、前記複数の切欠によって枢支されている複数の親骨を前記中棒の方へ収束すると、複数の親骨は、中棒にぴったりと当接することが出来るので、収束したり折り畳んだりした後のサイズを従来より小径にして簡単に持ち歩くことが出来る。
【００１２】
【発明の実施の形態】
以下、本発明の実施の形態を図面を参照して詳細に説明する。
図１及び図２に示すように、本発明の実施形態に係る傘の骨組みは、上下二端を有する直管状の中棒１０と、前記中棒１０の上端に取り付けられている上ろくろ２０と、前記上ろくろ２０の上端に取り付けられている石突７０と、前記中棒１０に沿って上下方向に摺動可能に取り付けられている下ろくろ３０と、それぞれの上端が前記上ろくろ２０の周りに沿って所定距離をもって枢支されている複数の親骨４１と、それぞれ上下二端を有し、その上端が前記複数の親骨４１の１つに枢着され、下端が前記下ろくろ３０に枢着されている複数の受骨５０とを備えている。
【００１３】
前記上ろくろ２０は、上下二端を有する柱体であって、該柱体の上端近傍の周りに前記複数の切欠が形成してあり、且つ、その上端近傍が前記中棒１０の上端開口から外方に露出するように、前記中棒１０内に嵌挿固定されるものである。
【００１４】
具体的には、前記上ろくろ２０は、上下二端を有する円柱形の本体２２と、該本体２２の上端近傍から所定間隔をもって並列するように、径方向に対称的に一対突出して形成してなる複数の切欠付き星形部２１、２３とからなり、且つ、前記本体２２の下部は前記中棒１０内に嵌挿固定されている。なお、この上ろくろ２０は、前記中棒１０と該上ろくろ２０の本体２２の下部をピン２４によって貫通させることにより、前記中棒１０の上端に取り付けられている。
【００１５】
図２に示すように、前記上ろくろ２０の本体２２の下端部には、一対の星形部２１，２３のうち、下側の星形部２３から、弾き片２１１が下向きに延びるように設けられている。また、前記下ろくろ３０には、該下ろくろ３０が前記中棒１０に沿って摺動することによって前記弾き片２１１に引っ掛けられる係止孔３１が設けられている。これにより、従来から用いられている上はじきのように、製作に時間がかかり、且つ、使用者の指を挟んで傷つける等の問題を解消することができる。
【００１６】
また、前記上ろくろ２０の本体２２の上端面には、雌ねじ付き開口２１２が形成してあり、前記開口２１２に、雄ねじ付きプラグ７１を有する前記石突７０が前記雌ねじと雄ねじとのねじ締めによって取り付けられている。
【００１７】
なお、図示していないが、前記した一対の星形部２１，２３の間の隙間は、互いに対称に位置し、対をなす切欠内に配置されている複数の親骨４１の上端部を逐一に固定する組み線をおくためのものである。また、切欠の底面２５は、前記中棒１０の外周面とほぼ一致する外径とされている。
【００１８】
次に、図３を参照して本実施形態の傘の骨組みを収束したり折り畳んだりした後の状態を説明する。
【００１９】
図３における上ろくろ２０の本体２２の下部は、前記星形部２３の下端面が前記中棒１０の上端と当接するまで前記中棒１０内に嵌挿され、これにより、該上ろくろ２０の本体２２の上端近傍は前記中棒１０の上端開口から外方に露出する。且つ、前記上ろくろ２０において、前記複数の親骨４１の上端を枢支している複数の切欠の底面２５は、前記中棒１０の外周面とほぼ一致しているため、前記複数の親骨４１を中棒１０の方へ収束した場合、複数の親骨４１はぴったりと中棒１０の外周面に当接することができる。これにより、傘全体の外径を小さくすることができる。
【００２０】
なお、本発明は、前記実施形態の構成に限定されるものではない。即ち、前記実施形態は、あくまでも本発明の技術的内容を明らかにする意図のものにおいてなされたものであり、本発明はこの実施形態に限定して狭義に解釈されるものではなく、本発明の精神とクレームに述べられた範囲で、いろいろと変更して実施できるものである。
【００２１】
【発明の効果】
以上の説明から明らかなように、本発明の骨組みにより構成した傘は、複数の親骨を中棒にぴったりと当接して収束するできるため、従来の傘と比較して傘全体の外径を小さくして携帯に便利な寸法にすることが出来る。
【図面の簡単な説明】
【図１】本発明の実施形態に係る傘の骨組みを示す側面図である。
【図２】本実施形態の傘の骨組みの要部斜視図である。
【図３】本実施形態の傘の骨組みを収束したり折り畳んだりした状態を示す一部断面図である。
【図４】従来の傘の収束状態を示す一部断面図である。
【符号の説明】
１…中棒
１０…中棒
２０…上ろくろ
２１、２３…星形部
２２…上ろくろの本体
２４…ピン
３０…下ろくろ
３１…係止孔
４１…親骨
５０…受骨
７０…石突
７１…雄ねじ付きプラグ
２１１…弾き片
２１２…雌ねじ付き開口
【図１】
2004057475.tif 000003
【図２】
2004057475.tif 000004
【図３】
2004057475.tif 000005
【図４】
2004057475.tif 000006